(57)【要約】【課題】モイスチャーインジケータの破損を招くことなくモイスチャーインジケータを本体内に強固に固定し、運転中に流出する虞の少ないサイトグラスを提供する。【解決手段】冷媒Ｃの流入口２ａと流出口２ｂとを有し、内部を冷媒Ｃが流れる本体２と、本体２に穿設された上部開口２ｃを覆うガラス６と、本体２の内部において冷媒Ｃ中の水分を検出する板状のモイスチャーインジケータ３とを備えるサイトグラス１において、モイスチャーインジケータ３を収容する凹部４ｅを有する第１支持部材４と、第１支持部材４に収容されたモイスチャーインジケータ３の外縁部３ｃを、第１支持部材４の凹部４ｅ内面に倣うように突出した椀状部５ｂの平面で押圧しながら、モイスチャーインジケータ３の中心部３ｂを本体２の内部に露出した状態に保持する第２支持部材５とを備えるサイトグラス１。【選択図】図２
2011043248.tif 000002
【特許請求の範囲】
【請求項１】
流体の流入口と流出口とを有し、内部を前記流体が流れる本体と、該本体に穿設された開口を覆う透明部材と、前記本体の内部において前記流体中の水分を検出する板状のモイスチャーインジケータとを備えるサイトグラスにおいて、
前記モイスチャーインジケータを収容する凹部を有する第１支持部材と、
該第１支持部材に収容されたモイスチャーインジケータの外縁部全体を、前記第１支持部材の凹部内面に倣うように突出した突出部の平面で押圧しながら、該モイスチャーインジケータの前記外縁部全体以外の部分を前記本体の内部に露出した状態に保持する第２支持部材とを備えることを特徴とするサイトグラス。
【請求項２】
前記モイスチャーインジケータは、円板状に形成され、前記第１支持部材は、椀状の前記凹部を備え、前記第２支持部材は、前記突出部として、円形孔が穿設された椀状の突出部を備え、前記第１支持部材の椀状の凹部に収容された前記モイスチャーインジケータの外縁部全体を、前記第２支持部材の椀状の突出部の平面で押圧しながら、該モイスチャーインジケータの前記外縁部全体以外の部分を前記本体の内部に露出した状態に保持することを特徴とする請求項１に記載のサイトグラス。
【発明の詳細な説明】
【技術分野】
【０００１】
本発明は、サイトグラスに関し、特に、冷凍サイクルの冷媒中に存在する水分を検出するためなどに用いられるサイトグラスに関する。
【背景技術】
【０００２】
従来、冷凍サイクルの冷媒中に水分が存在すると圧縮機の破損に繋がる虞があるため、冷媒中の水分を検出するモイスチャーインジケータを収容したサイトグラスが用いられている。
【０００３】
上記サイトグラスは、冷凍回路の配管路の途中に設置され、例えば、図６（ａ）に示すように、配管２２、２３と、本体２４と、ガラス２５と、柱状部材２７によって支持されたモイスチャーインジケータ２８とを備えている。モイスチャーインジケータ２８は、接触した冷媒Ｃ中の水分により変色し、モイスチャーインジケータ２８の色をガラス２５を通して視認することにより、水分の存在を確認することができる。また、このサイトグラス２１のガラス２５を介して、水分だけでなく、冷媒Ｃの状態を直接目視で確認することもできる。
【０００４】
上記モイスチャーインジケータ２８は、通常紙製であり、本体２４内において柱状部材２７に保持するにあたり、図６（ｂ）に示すように、モイスチャーインジケータ２８の周縁部を、金属製のかしめ部材２９によって柱状部材２７の上面に固定している。
【発明の概要】
【発明が解決しようとする課題】
【０００５】
しかし、図６に示したサイトグラス２１では、紙製のモイスチャーインジケータ２８を金属製のかしめ部材２９によって柱状部材２７の上面に固定しているため、かしめ部分においてモイスチャーインジケータ２８が損傷し易く、冷凍サイクル等の運転中にモイスチャーインジケータ２８が剥がれて流出すると、水分の存在を確認することができなくなるという問題があり、これを防止するためには、製造管理が厳しいものとなってしまう。また、その他、モイスチャーインジケータ２８の保持方法として種々提案されていたが、適切なものは存在せず、対応に苦慮していた。
【０００６】
そこで、本発明は、上記従来の技術における問題点に鑑みてなされたものであって、モイスチャーインジケータの破損を招くことなく、モイスチャーインジケータを本体内に強固に固定し、運転中に流出する虞の少ないサイトグラスを提供することを目的とする。
【課題を解決するための手段】
【０００７】
上記目的を達成するため、本発明は、流体の流入口と流出口とを有し、内部を前記流体が流れる本体と、該本体に穿設された開口を覆う透明部材と、前記本体の内部において前記流体中の水分を検出する板状のモイスチャーインジケータとを備えるサイトグラスにおいて、前記モイスチャーインジケータを収容する凹部を有する第１支持部材と、該第１支持部材に収容されたモイスチャーインジケータの外縁部全体を、前記第１支持部材の凹部内面に倣うように突出した突出部の平面で押圧しながら、該モイスチャーインジケータの前記外縁部全体以外の部分を前記本体の内部に露出した状態に保持する第２支持部材とを備えることを特徴とする。
【０００８】
そして、本発明によれば、第１支持部材の凹部にモイスチャーインジケータを収容し、その外縁部全体を、前記第１支持部材の凹部内面に倣うように突出した第２支持部材の突出部の平面で均一な圧力で押圧しながら保持するため、モイスチャーインジケータの破損を招くことがなく、また、この際、モイスチャーインジケータの中心部と外縁部との境界に段差が生じ、モイスチャーインジケータが移動し難くなり、モイスチャーインジケータを強固に固定することができる。また、モイスチャーインジケータの外縁部全体以外の部分は、本体の内部に露出した状態に保持するため、流体中の水分を検出するモイスチャーインジケータの機能を損なうこともない。
【０００９】
上記サイトグラスにおいて、前記モイスチャーインジケータを円板状に形成し、前記第１支持部材を椀状の前記凹部を備えるように構成し、前記第２支持部材を、前記突出部として、円形孔が穿設された椀状の突出部を備えるように構成し、前記第１支持部材の椀状の凹部に収容された前記モイスチャーインジケータの外縁部全体を、前記第２支持部材の椀状の突出部で押圧しながら、該モイスチャーインジケータの前記外縁部全体以外の部分を前記本体の内部に露出した状態に保持することができる。
【発明の効果】
【００１０】
以上のように、本発明によれば、モイスチャーインジケータの破損を招くことなくモイスチャーインジケータを本体内に強固に固定し、運転中に流出する虞の少ないサイトグラスを提供することができる。
【図面の簡単な説明】
【００１１】
【図１】本発明にかかるサイトグラスの一実施の形態を示す全体断面図である。
【図２】図１のサイトグラスのモイスチャーインジケータ及びその支持部材を示す分解斜視図である。
【図３】図２に示したモイスチャーインジケータ及びその支持部材の寸法関係を説明するための分解断面図である。
【図４】図２に示した各部材を組み立てた状態を示す斜視図である。
【図５】図２に示した各部材を組み立てた状態を示す断面図であって、モイスチャーインジケータ及びその周辺を示す図である。
【図６】従来のサイトグラスの一例を示す図であって、（ａ）は全体断面図、（ｂ）は（ａ）のＡ部拡大図である。
【発明を実施するための形態】
【００１２】
次に、本発明を実施するための形態について図面を参照しながら詳細に説明する。尚、以下の説明においては、本発明にかかるサイトグラスを、冷凍サイクルの冷媒中に存在する水分を検出するために用いる場合を例にとって説明する。
【００１３】
図１は、本発明にかかるサイトグラスの一実施の形態を示し、このサイトグラス１は、内部を冷媒Ｃが通過する本体２と、冷媒Ｃ中の水分の存在を検知するモイスチャーインジケータ３と、モイスチャーインジケータ３を挟持する第１及び第２支持部材４、５と、本体２の上部開口２ｃに装着されたガラス（透明部材）６と、ガラス６を本体２に装着するためのガラス取付部材７とを備え、配管１１、１２の間に配置される。
【００１４】
本体２の流入口２ａ及び流出口２ｂには、各々配管１１、１２が接続され、配管１１から配管１２に向かって冷媒Ｃが流れる。この本体２の上部は開口され、上部開口２ｃを覆うように、ガラス６がガラス取付部材７によって上方開口２ｃの周辺に保持される。
【００１５】
モイスチャーインジケータ３は、図２に示すように、円板状の紙等からなり、接触した冷媒Ｃ中の水分により変色し、モイスチャーインジケータ３の色をガラス６を通して視認することにより、水分の存在を確認することができる。
【００１６】
第１支持部材４は、モイスチャーインジケータ３を下方から支持するために備えられ、本体２の上部開口２ｃの縁部に載置するための鍔部４ａと、円筒状部４ｂと、円筒状部４ｂの下端部に位置する環状部４ｃと、環状部４ｃの２箇所を直径方向に繋ぐように配置されたリブ４ｄと、リブ４ｄの中央に位置し、モイスチャーインジケータ３を収容するための凹部４ｅとを備える。凹部４ｅを挟んだ両側の部分は開口４ｆ、４ｇとなっている。
【００１７】
第２支持部材５は、第１支持部材４の凹部４ｅに収容したモイスチャーインジケータ３を上方から押圧して挟持するために備えられ、帯板状部５ａと、帯板状部５ａの中央に位置し、下方に突出する椀状部５ｂと、椀状部５ｂの中央に穿設された開口５ｃとを備える。椀状部５ｂの開口５ｃのモイスチャーインジケータ３と接触する部分はモイスチャーインジケータ３を損傷しないように設計されている。すなわち、例をあげるとプレス加工時等の製造工程上発生するバリがモイスチャーインジケータ３を直接損傷しないよう配慮した設定がされている。
【００１８】
次に、上記モイスチャーインジケータ３、第１支持部材４及び第２支持部材５の寸法関係について、図３を参照しながら説明する。
【００１９】
モイスチャーインジケータ３の厚さをｈ２とし、第１支持部材４の環状部４ｃ及びリブ４ｄの上面から凹部４ｅの底面までの距離をｈ１とし、第２支持部材５の帯板状部５ａの底面から椀状部５ｂの底面までの距離をｈ３とした場合、ｈ２＞ｈ１−ｈ３となるように設定する。
【００２０】
上記構成及び寸法を有するモイスチャーインジケータ３、第１支持部材４及び第２支持部材５を組み立てるには、第１支持部材４の凹部４ｅにモイスチャーインジケータ３を収容し、第２支持部材５の椀状部５ｂをモイスチャーインジケータ３に当接させるようにして、第１支持部材４の貫通孔４ｈと第２支持部材５の突部５ｅが嵌合するように第１支持部材４に第２支持部材５を装着する。これにより、図４及び図５に示すように、第２支持部材５の開口５ｃによってモイスチャーインジケータ３の中心部３ｂが露出した状態で、モイスチャーインジケータ３の外縁部３ｃを第１支持部材４及び第２支持部材５の平面で押圧して挟持することができ、この際、図５に明示されるように、モイスチャーインジケータ３の外縁部３ｃが椀状部５ｂによって均一な圧力で押圧されるとともに、中心部３ｂと外縁部３ｃとの境界に段差が生じるため、モイスチャーインジケータ３が移動し難くなり、モイスチャーインジケータ３の破損や流出を防止することができる。
【００２１】
また、図５に示す如く、モイスチャーインジケータ３は、第１支持部材４の凹部４ｅに収容されるとともに、この凹部４ｅと第２支持部材５の椀状部５ｂとの間に挟み込まれた状態で固定されるため、モイスチャーインジケータ３の周囲に形成される隙間を小さくすることができ、モイスチャーインジケータ３の移動が厚み方向だけでなく径方向にも規制されるため、モイスチャーインジケータ３の移動や流出を確実に防止することができる。さらに、第１及び第２支持部材４、５は、極めて簡単な構成で、例えばプレス加工により安価に製造することができる。
【００２２】
尚、上記実施の形態においては、本発明にかかるサイトグラスを、冷凍サイクルの冷媒中に存在する水分を検出するために用いたが、他の用途に用いられる冷媒以外の流体中の水分を検出することもできる。
【符号の説明】
【００２３】
１  サイトグラス
２  本体
２ａ  流入口
２ｂ  流出口
２ｃ  上部開口
３  モイスチャーインジケータ
３ａ  上面
３ｂ  中心部
３ｃ  外縁部
４  第１支持部材
４ａ  鍔部
４ｂ  円筒状部
４ｃ  環状部
４ｄ  リブ
４ｅ  凹部
４ｆ  開口
４ｇ  開口
４ｈ  貫通孔
５  第２支持部材
５ａ  帯板状部
５ｂ  椀状部
５ｃ  開口
５ｄ  突部
６  ガラス
７  ガラス取付部材
１１  配管
１２  配管
Ｃ  冷媒
【図１】
2011043248.tif 000003
【図２】
2011043248.tif 000004
【図３】
2011043248.tif 000005
【図４】
2011043248.tif 000006
【図５】
2011043248.tif 000007
【図６】
2011043248.tif 000008